(57)【要約】【課題】  コンテンツ記憶部にコンテンツを記録中にユーザを退屈させず、かつ、コンテンツ記録中に表示部を有効利用できるコンテンツ記録再生装置を提供すること。【解決手段】  コンテンツ記憶部１３に楽曲データを記録中には、選択回路１７はＤＶＤプレーヤ２００からの画像を選択し、表示部１８にＤＶＤプレーヤ２００からの画像が表示される。従って、楽曲データ記録中に表示部１８を有効利用でき、かつ、ユーザはＤＶＤプレーヤ２００からの画像を視聴し、楽しむことができる。楽曲データの記録が終了したときに、ＤＶＤプレーヤ２００からの画像を継続して表示すると判断されると、選択回路１７はＤＶＤプレーヤ２００からの画像を選択し、表示部１８にＤＶＤプレーヤ２００からの画像が表示される。【選択図】図１
2008035249.tif 000002
【特許請求の範囲】
【請求項１】
コンテンツを記録するためのコンテンツ記憶部と、
該コンテンツ記憶部にコンテンツを記録する記録手段と、
該コンテンツ記憶部にコンテンツを記録する際の表示内容を含む内部画像が予め記録されている内部画像記憶部と、
外部に接続されるコンテンツ再生装置によって再生された画像を受信する受信手段と、
該受信手段が受信した画像と該内部画像とのうち、一方の画像を選択する選択手段と、
該選択手段によって選択された画像を表示する表示手段と、
該コンテンツ記憶部にコンテンツを記録中に、該受信手段が受信した画像を選択するよう該選択手段を制御する制御手段とを備え、
該制御手段が、該コンテンツ記憶部にコンテンツを記録し終えた時に、該受信手段が受信した画像を該表示手段に表示するか否かを判断する判断手段を含み、該判断手段が表示すると判断した場合に、該受信手段が受信した画像を該選択手段に選択させ、該判断手段が表示しないと判断した場合に、該内部画像を該選択手段に選択させる、コンテンツ記録再生装置。
【請求項２】
前記制御手段が、前記コンテンツ記憶部にコンテンツを記録し終えた時に、前記コンテンツ再生装置に一時停止コマンドを送信し、かつ、前記選択手段に前記内部画像を選択させたあと、前記受信手段が受信した画像を前記表示手段に表示すると前記判断手段が判断した場合に、該選択手段に該受信手段が受信した画像を選択させ、かつ、該コンテンツ再生装置に再生コマンドを送信する、請求項１に記載のコンテンツ記録再生装置。
【請求項３】
前記コンテンツ記憶部にコンテンツを記録し終えた後に、前記制御手段が、前記コンテンツ再生装置が画像を再生し終えたと判断した場合に、前記選択手段に前記内部画像を選択させ、かつ、該コンテンツ再生装置にスタンバイ状態になる旨のコマンドを送信する、請求項１または２に記載のコンテンツ記録再生装置。
【請求項４】
前記コンテンツ再生装置が、挿入された可搬型ディスクを再生する装置であり、
前記コンテンツ記憶部にコンテンツを記録中に、前記制御手段が、前記コンテンツ再生装置からディスクが挿入されていない旨の通知を受信した場合に、前記選択手段に前記内部画像を選択させる、請求項１〜３のいずれかに記載のコンテンツ記録再生装置。
【請求項５】
前記コンテンツ記憶部に記録中のコンテンツが変更された場合に、前記制御手段が、前記選択手段に前記内部画像を一時的に選択させたあと前記受信手段が受信した画像を選択させる、請求項１〜４のいずれかに記載のコンテンツ記録再生装置。
【請求項６】
コンテンツを記録するためのコンテンツ記憶部と、
該コンテンツ記憶部にコンテンツを記録する記録手段と、
該コンテンツ記憶部にコンテンツを記録する際の表示内容を含む内部画像が予め記録されている内部画像記憶部と、
外部に接続されるコンテンツ再生装置によって再生された画像を受信する受信手段と、
該受信手段が受信した画像と該内部画像とを合成し、該受信手段が受信した画像が主画像であり該内部画像が副画像である第１合成画像を生成する合成手段と、
該合成手段によって生成された該第１合成画像を表示する表示手段と、
該コンテンツ記憶部にコンテンツを記録中に、該第１合成画像を生成するように該合成手段を制御する制御手段とを備え、
該制御手段が、該コンテンツ記憶部にコンテンツを記録し終えた時に、該受信手段が受信した画像を該表示手段に表示するか否かを判断する判断手段を含み、該判断手段が表示すると判断した場合に、該合成手段に該第１合成画像を生成させ、該判断手段が表示しないと判断した場合に、該合成手段に該内部画像のみからなる画像を出力させる、コンテンツ記録再生装置。
【請求項７】
前記合成手段が、前記受信手段が受信した画像が副画像であり前記内部画像が主画像である第２合成画像をさらに生成し、
前記表示手段が、該合成手段によって生成された前記第１合成画像又は該第２合成画像を表示し、
前記制御手段が、前記コンテンツ記憶部にコンテンツを記録し終えた時に、前記合成手段に前記第２合成画像を生成させたあと、前記受信手段が受信した画像を前記表示手段に表示すると前記判断手段が判断した場合に、該合成手段に前記第１合成画像を生成させ、表示させないと該判断手段が判断した場合に、該合成手段に該内部画像のみからなる画像を出力させる、請求項６に記載のコンテンツ記録再生装置。
【請求項８】
前記コンテンツ記憶部にコンテンツを記録し終えた後に、前記制御手段が、前記コンテンツ再生装置が画像を再生し終えたと判断した場合に、前記合成手段に前記内部画像のみからなる画像を出力させ、かつ、該コンテンツ再生装置にスタンバイ状態になる旨のコマンドを送信する、請求項６または７に記載のコンテンツ記録再生装置。
【請求項９】
前記判断手段が、前記表示手段に前記コンテンツ再生装置からの画像を再生するか否かをユーザに問合せる内容の前記内部画像を表示することにより、ユーザからの操作に基づいて、前記受信手段が受信した画像を該表示手段に表示するか否かを判断する、請求項１〜８のいずれかに記載のコンテンツ記録再生装置。
【請求項１０】
請求項１〜９のいずれかに記載の各手段をコンピュータに実行させるためのコンテンツ記録再生装置の動作プログラム。
【発明の詳細な説明】
【技術分野】
【０００１】
本発明は、内部画像を表示する表示部を備え、コンテンツをコンテンツ記憶部に記録するコンテンツ記録再生装置に関する。
【背景技術】
【０００２】
従来、ＣＤドライブ等のディスク再生部、及び、ＭＤレコーダ又はＨＤＤ（Hard Disk Drive）レコーダ等のコンテンツ記憶部を備えるコンテンツ記録再生装置が利用されている。ディスク再生部に挿入されたディスクに記録されている楽曲データをＨＤＤに記録（リッピング）することができる。コンテンツ記録再生装置は、内部画像（メニューデータ）を表示するための液晶表示部等の表示部を有している。表示部は、ＣＤ又はＨＤＤに記録された楽曲データの曲情報を表示し、又は、ＣＤからＨＤＤに楽曲データをリッピングする際の楽曲情報を表示する。
【０００３】
コンテンツ記録再生装置において、ＣＤからＨＤＤに楽曲データをリッピングしている間、表示部にはリッピングしている楽曲データに関する情報が表示されるだけであり、他のユーザ操作を受け付けることができないので、ユーザにとってリッピングが終了するまでの時間が退屈であるという問題がある。
【０００４】
下記特許文献１には以下の技術を記載する。ＤＶＤプレーヤ１でＤＶＤを再生する場合、当該ＤＶＤに記録された本編の映像音声情報が再生されるまでの所定期間は、当該ＤＶＤの再生情報は表示せずに、テレビジョン受信部２からの画像、または外部機器３からの画像を表示装置６に表示させるように選択部５を制御する制御部４を備える。このように、ＤＶＤの再生時に、本編の映像音声情報が読み出されるまでの所定期間は他の画像に切り換えて表示することができるので、ユーザにとってはその期間の時間を有効に活用でき、楽しむことができる。
【０００５】
しかし、特許文献１は、ＣＤからＨＤＤへの楽曲データのリッピングについては何ら記載しない。また、ＤＶＤの本編の映像音声情報が読み出されるまでの間だけ他の画像が表示されるので、他の画像が表示される時間がごくわずかである。ユーザが他の画像を気に入った場合であっても、強制的に他の画像の表示が終了し、ＤＶＤの本編の映像音声信号が再生されてしまうという問題がある。
【０００６】
【特許文献１】実用新案登録第３０９２６１２号
【発明の開示】
【発明が解決しようとする課題】
【０００７】
本発明の目的は、コンテンツ記憶部にコンテンツを記録中にユーザを退屈させず、かつ、コンテンツ記録中に表示部を有効利用できるコンテンツ記録再生装置を提供することである。
【課題を解決するための手段】
【０００８】
本発明の好ましい実施形態によるコンテンツ記録再生装置は、コンテンツを記録するためのコンテンツ記憶部と、該コンテンツ記憶部にコンテンツを記録する記録手段と、該コンテンツ記憶部にコンテンツを記録する際の表示内容を含む内部画像が予め記録されている内部画像記憶部と、外部に接続されるコンテンツ再生装置によって再生された画像を受信する受信手段と、該受信手段が受信した画像と該内部画像とのうち、一方の画像を選択する選択手段と、該選択手段によって選択された画像を表示する表示手段と、該コンテンツ記憶部にコンテンツを記録中に該受信手段が受信した画像を選択するよう該選択手段を制御する制御手段とを備える。該制御手段は、該コンテンツ記憶部にコンテンツを記録し終えた時に、該受信手段が受信した画像を該表示手段に表示するか否かを判断する判断手段を含み、該判断手段が表示すると判断した場合に、該受信手段が受信した画像を該選択手段に選択させ、該判断手段が表示しないと判断した場合に、該内部画像を該選択手段に選択させる。
【０００９】
コンテンツ記憶部にコンテンツを記録中に、選択手段は受信手段が受信する画像（画像とは、映像という意味も含む）を選択し、表示手段に外部に接続されたコンテンツ再生装置からの画像が表示される。従って、コンテンツ記憶部にコンテンツを記録中に表示手段を有効利用でき、かつ、ユーザはコンテンツ再生装置からの画像を視聴し、楽しむことができる。上記特許文献１のＤＶＤの本編映像が表示されるまでの時間と比較し、コンテンツを記録し終えるまでの時間は長いので、ユーザは十分にコンテンツ再生装置からの画像を視聴できる。
【００１０】
さらに、コンテンツの記録が終了したときに、コンテンツ再生装置からの画像を継続して表示部に表示するか否かを判断し、表示すると判断されると、選択手段は受信手段が受信する画像を選択し、表示手段にコンテンツ再生装置からの画像が表示される。従って、ユーザは、コンテンツ再生装置からの画像を気に入った場合には、コンテンツの記録が終了した後、継続してコンテンツ再生装置からの画像を視聴できる。
【００１１】
なお、上記判断手段による判断処理は、代表的には、継続してコンテンツ再生装置からの画像を再生するか否かをユーザに問合せ、ユーザからの指示に基づいて判断する方法や、継続してコンテンツ再生装置からの画像を再生するか否かをユーザ操作によって予め設定しておく方法が挙げられる。
【００１２】
好ましい実施形態においては、上記制御手段は、上記コンテンツ記憶部にコンテンツを記録し終えた時に、上記コンテンツ再生装置に一時停止コマンドを送信し、かつ、上記選択手段に前記内部画像を選択させたあと、上記受信手段が受信した画像を前記表示手段に表示すると上記判断手段が判断した場合に、該選択手段に該受信手段が受信した画像を選択させ、かつ、該コンテンツ再生装置に再生コマンドを送信する。
【００１３】
この場合、コンテンツ再生装置を一時停止状態にした上で、表示手段に内部画像を表示させて、コンテンツの記録が終了したことをユーザに告知できる。その後、上記判断手段によって継続してコンテンツ再生装置からの画像を再生することが判断されると、コンテンツ再生装置を再生状態にし、表示手段にコンテンツ再生装置からの画像を表示できる。従って、コンテンツの記録が終了したことを告知する直前の位置から、コンテンツ再生装置からの画像を表示することができる。
【００１４】
好ましい実施形態においては、上記コンテンツ記憶部にコンテンツを記録し終えた後に、上記制御手段は、上記コンテンツ再生装置が画像を再生し終えたと判断した場合に、上記選択手段に前記内部画像を選択させ、かつ、該コンテンツ再生装置にスタンバイ状態になる旨のコマンドを送信する。
【００１５】
この場合、コンテンツ再生装置による画像の再生が終了したときに、自動的に表示部に内部画像を表示させるので、表示部に何も表示されないという不具合を防止できる。さらに、コンテンツ再生装置をスタンバイ状態にするので、無駄な消費電力を削減できる。
【００１６】
好ましい実施形態においては、上記コンテンツ再生装置が、挿入された可搬型ディスクを再生する装置であり、上記コンテンツ記憶部にコンテンツを記録中に、上記制御手段は、上記コンテンツ再生装置からディスクが挿入されていない旨の通知を受信した場合に、上記選択手段に前記内部画像を選択させる。
【００１７】
この場合、コンテンツ再生装置にディスクが挿入されていない場合には、表示部に内部映像を表示させることができる。従って、表示部に何も表示されないという不具合を防止できる。
【００１８】
好ましい実施形態においては、上記コンテンツ記憶部に記録中のコンテンツが変更された場合に、上記制御手段は、上記選択手段に上記内部画像を一時的に選択させたあと前記受信手段が受信した画像を選択させる。
【００１９】
この場合、記録中のコンテンツが変更された時に、現在記録中のコンテンツに関する情報をユーザに告知できる。従って、ユーザは、現在どの程度コンテンツの記録が進行しているかを把握できる。
【００２０】
本発明の別の好ましい実施形態によるコンテンツ記録再生装置は、コンテンツを記録するためのコンテンツ記憶部と、該コンテンツ記憶部にコンテンツを記録する記録手段と、該コンテンツ記憶部にコンテンツを記録する際の表示内容を含む内部画像が予め記録されている内部画像記憶部と、外部に接続されるコンテンツ再生装置によって再生された画像を受信する受信手段と、該受信手段が受信した画像と該内部画像とを合成し、該受信手段が受信した画像が主画像であり該内部画像が副画像である第１合成画像を生成する合成手段と、該合成手段によって生成された該第１合成画像を表示する表示手段と、該コンテンツ記憶部にコンテンツを記録中に、該第１合成画像を生成するように該合成手段を制御する制御手段とを備える。該制御手段は、該コンテンツ記憶部にコンテンツを記録し終えた時に、該受信手段が受信した画像を該表示手段に表示するか否かを判断する判断手段を含み、該判断手段が表示すると判断した場合に、該合成手段に該第１合成画像を生成させ、該判断手段が表示しないと判断した場合に、該合成手段に該内部画像のみからなる画像を出力させる。
【００２１】
コンテンツ記憶部にコンテンツを記録中には、合成手段が第１合成画像を生成し、表示手段には第１合成画像が表示される。第１合成画像は、コンテンツ再生装置からの画像が主画像であるので、ユーザは主としてコンテンツ再生装置からの画像を視聴し、楽しむことができる。また、内部画像が副画像であるので、ユーザはコンテンツ記録の進行状況を把握することができる。
【００２２】
さらに、コンテンツの記録が終了したときに、コンテンツ再生装置からの画像を継続して表示部に表示するかを判断し、表示すると判断されると、合成手段が第１合成画像を生成し、表示手段には第１合成画像が表示される。従って、ユーザは、コンテンツ再生装置からの画像を気に入った場合には、コンテンツの記録が終了した後も、継続してコンテンツ再生装置からの画像を主画像として視聴できる。
【００２３】
好ましい実施形態においては、上記合成手段は、前記受信手段が受信した画像が副画像であり前記内部画像が主画像である第２合成画像をさらに生成する。上前記表示手段は、該合成手段によって生成された上記第１合成画像又は該第２合成画像を表示する。上記制御手段は、上記コンテンツ記憶部にコンテンツを記録し終えた時に、上記合成手段に上記第２合成画像を生成させたあと、上記受信手段が受信した画像を上記表示手段に表示すると上記判断手段が判断した場合に、該合成手段に上記第１合成画像を生成させ、表示させないと該判断手段が判断した場合に、該合成手段に該内部画像のみからなる画像を出力させる。
【００２４】
この場合、コンテンツの記録が終了したとき、表示手段には第２合成画像が表示される。第２合成画像は、内部画像が主画像であるので、ユーザはコンテンツの記録が終了したことを注視し、確実に認識することができる。一方、副画像としてコンテンツ再生装置からの画像を表示するので、コンテンツ再生装置からの画像も継続して視聴できる。
【００２５】
好ましい実施形態においては、上記コンテンツ記憶部にコンテンツを記録し終えた後に、上記制御手段は、上記コンテンツ再生装置が画像を再生し終えたと判断した場合に、上記合成手段に前記内部画像のみからなる画像を出力させ、かつ、該コンテンツ再生装置にスタンバイ状態になる旨のコマンドを送信する。
【００２６】
この場合、コンテンツ再生装置による画像の再生が終了したときに、自動的に表示部に内部画像を表示させるので、表示部に何も表示されないという不具合を防止できる。さらに、コンテンツ再生装置をスタンバイ状態にするので、無駄な消費電力を削減できる。
【００２７】
好ましい実施形態においては、上記判断手段は、上記表示手段に上記コンテンツ再生装置からの画像を再生するか否かをユーザに問合せる内容の上記内部画像を表示することにより、ユーザからの操作に基づいて、上記受信手段が受信した画像を該表示手段に表示するか否かを判断する。
【００２８】
本発明の別の局面においては、上記いずれかに記載の各手段をコンピュータに実行させるためのコンテンツ記録再生装置の動作プログラムが提供され得る。
【発明の効果】
【００２９】
コンテンツ記録中には、外部に接続されたコンテンツ再生装置からの画像を表示手段に表示するので、表示手段を有効利用し、かつ、ユーザはコンテンツ再生装置から画像を視聴でき、退屈しない。また、コンテンツ記録後も、コンテンツ再生装置からの画像を継続して表示手段に表示できる。
【発明を実施するための最良の形態】
【００３０】
以下、本発明の好ましい実施形態によるコンテンツ記録再生システムについて説明するが、本発明はこれらの実施形態には限定されない。図１は、コンテンツ記録再生システム１を示すブロック図である。コンテンツ記録再生システム１は、コンテンツ記録再生装置１００と、コンテンツ記録再生装置１００の外部に接続されるコンテンツ再生装置２００とを備える。
【００３１】
コンテンツ記録再生装置１００は、ＣＤドライブ等のディスク再生部１１、ＨＤＤ（Hard Disk Drive）等の記憶部１２、デコード部１５、入出力端子１６、映像音声入力選択回路（以下、選択回路という）１７、ＬＣＤ等の表示部１８、音声処理部１９及び制御部２０を備える。
【００３２】
ディスク再生部１１は、制御部２０からの指示に基づいて、挿入される可搬型ディスク（例えば、ＣＤ）に記録されているコンテンツデータ（例えば、楽曲データ）を再生する。また、ディスク再生部１１は、ＣＤに記録されているＴＯＣ（Table Of Contents）情報をディスクから読み出す。ディスク再生部１１によって再生された楽曲データは、後述するコンテンツ記憶部１３に記録（リッピング）される。また、ディスク再生部１１によって再生された楽曲データは、音声処理部１９を介して外部に接続された図示しないスピーカーに供給される。
【００３３】
ＨＤＤ１２は、コンテンツ記憶部１３及びメニューデータ記憶部１４を有する。コンテンツ記憶部１３は、ディスク再生部１１によってＣＤから読み出された楽曲データが記録される。あるいは、コンテンツ記憶部１３は、図示しないインターネットを介して外部のコンテンツ販売サーバから購入し、ダウンロードされた楽曲データが記録される。コンテンツ記憶部１３に記録されている楽曲データは、制御部２０からの指示によって再生され、音声処理部１９を介して外部のスピーカーに供給される。
【００３４】
メニューデータ記憶部１４は、表示部１８に表示される様々なメニューデータ（内部画像）を予め記憶している。メニューデータは、コンテンツ記録再生装置１００の操作画面（例えば、ＣＤ再生、ＨＤＤ再生、ＣＤからＨＤＤへのリッピング、ダウンロード等の選択画面）や、現在のコンテンツ記録再生装置１００の動作状態（再生、停止、早送り、リッピング、ダウンロード（購入）、音量）や、再生中又はリッピング中の楽曲データのコンテンツリスト（曲リスト）表示画面等のデータである。メニューデータは、上記内容の画像データ（及び必要に応じて音声データが含まれてもよい）が圧縮されてメニューデータ記憶部１４に予め記録されている。
【００３５】
デコード部１５は、制御部２０からの指示に基づき、メニューデータ記憶部１４からメニューデータを読み出して、メニューデータをデコードし、適切なサイズにスケーリングする。デコード部１５で処理されたメニューデータは、選択部１７を介して表示部１８に供給され、表示部１８において表示される。
【００３６】
入出力端子１６は、コンテンツ再生装置２００から映像信号が入力される映像入力端子と、コンテンツ再生装置２００から音声信号が入力される音声入力端子と、制御部２０とコンテンツ再生装置２００の制御部５２との間で送受信されるコマンド（制御信号）が入出力される制御信号入出力端子とを含む。映像入力端子及び音声入力端子から入力された映像信号及び音声信号は、選択回路１７に供給される。映像入力端子及び音声入力端子は、アナログ入力端子でも、デジタル入力端子でもよく、例えば、ＨＤＭＩ入力端子であってもよい。
【００３７】
選択回路１７は、映像入力端子及び音声入力端子によってコンテンツ再生装置２００から受信された映像信号（画像信号）及び音声信号と、コンテンツ記録再生装置１００内部で再生される映像信号（画像信号）及び音声信号とのうち、一つの映像信号（画像信号）及び音声信号を選択する。選択された映像信号は表示部１８又は外部に接続されたディスプレイ装置に供給され、選択された音声信号は音声処理部１９に供給される。コンテンツ記録再生装置１００内部で再生される映像信号及び音声信号は、ディスク再生部１１又はコンテンツ記憶部１３から再生された楽曲データや、メニューデータ記憶部１４から読み出されたメニューデータである。
【００３８】
表示部１８は、選択回路１７を介して供給されたメニューデータを表示する。または、表示部１８は、コンテンツ再生装置２００から選択回路１７を介して供給された映像信号を表示する。
【００３９】
音声処理部１９は、選択回路１７を介して供給された音声信号を増幅して外部のスピーカーに供給し、音声を再生させる。音声信号がディスク再生部１１又はコンテンツ記憶部１３から再生された圧縮デジタルデータである場合、音声処理部１９は、デコード処理及びＤ／Ａ変換処理を実行する。
【００４０】
制御部２０は、ＨＤＤ１２又は図示しないＲＯＭに記憶されたプログラムに基づいて後述する各ステップを実行することにより、コンテンツ記録再生装置１００の各部１１〜１９を制御する。また、制御部２０は、コンテンツ再生装置２００の制御部５２との間で制御信号（コマンド）を送受信する。例えば、制御部２０は、ディスク再生部１１とコンテンツ記憶部１３に対して、ＣＤに記録された楽曲データをコンテンツ記憶部１３にリッピングするよう制御する。リッピングが開始されたと判断すると、制御部２０は、選択回路１７に対して、画像の選択を、メニューデータ記憶部１４に記憶されたメニューデータから、コンテンツ再生装置２００からの映像信号に切り換えるよう制御する。さらに、制御部２０は、コンテンツ再生装置２００の制御部５２に対して、再生開始、一時停止、又はスタンバイする制御信号を送信する。
【００４１】
コンテンツ再生装置２００は、ＤＶＤドライブやＨＤＤドライブ等のディスク再生部５１、制御部５２及び信号処理部５３を備える。コンテンツ再生装置２００は、ＤＶＤプレーヤ、ＨＤＤレコーダ又はネットワークサーバ等である。ディスク再生部５１は、可搬型又は内蔵のディスクに記録された映像信号及び音声信号を再生し、信号処理部５３に供給する。信号処理部５３は、供給された映像信号及び音声信号に対してデコード処理及び／又はＤ／Ａ変換処理等を実行し、図示しない映像／音声出力端子を介してコンテンツ記録再生装置１００に出力する。制御部５２は、コンテンツ再生装置２００の各部５１、５３を制御し、かつ、コンテンツ記録再生装置１００の制御部２０との間で制御信号を送受信する。
【００４２】
以上の構成を有するコンテンツ記録再生システム１についてその動作を図２Ａ及び図２Ｂを参照して説明する。図２Ａ及び図２Ｂは、コンテンツ記録再生装置１００の制御部２０の処理を示す図である。制御部２０は、ディスク再生部１１及びコンテンツ記憶部１３に対して、ＣＤに記録された楽曲データをコンテンツ記憶部１３にリッピングするよう制御し、ＣＤからコンテンツ記憶部１３への楽曲データのリッピングが開始される（Ｓ１）。制御部２０は、リッピングが開始されたと判断すると、デコード部１５を制御して、メニューデータ記憶部１４からメニューデータを読み出し、表示部１８に表示させる（Ｓ２）。図３は、表示部１８に表示されるメニューデータを示す図である。メニュー画像７０には、リッピングされる楽曲データの曲リスト７１と、現在リッピング中の楽曲の情報７２とを含む。このメニュー画像は、メニューデータ記憶部１４に記憶されているリッピング情報画像（内部画像）と、例えばインターネットを介してＣＤＤＢから取得した楽曲情報及びＣＤから読み出したＴＯＣ情報とから生成されている。
【００４３】
次に、制御部２０は、リッピング中にコンテンツ再生装置２００からの映像を表示するか否かを判断する（Ｓ３）。この処理は、例えば、リッピング開始時に、ユーザにリッピング中にコンテンツ再生装置２００からの映像を表示するか否かを問合せるメニューデータを表示部１８に表示させ、ユーザが図示しない入力部を介して選択するようにしてもよく、事前にユーザによってリッピング中にコンテンツ再生装置２００からの映像を表示するか否かが設定されるようにしてもよい。コンテンツ再生装置２００からの映像を表示しないと判断されると（Ｓ３：ＮＯ）、処理を終了する。つまり、従来通り、リッピング中には図３のメニューデータ（リッピングされている楽曲の情報）が表示される。
【００４４】
コンテンツ再生装置２００からの映像を表示すると判断されると（Ｓ３：ＹＥＳ）、制御部２０は、選択回路１７に対して、映像及び音声の選択を、メニューデータ記憶部１４のメニューデータから、コンテンツ再生装置２００から供給される映像信号に切り換えるよう制御する（Ｓ４）。続いて、制御部２０は、コンテンツ再生装置２００の制御部５２に、再生開始する旨の再生コマンドを送信する（Ｓ５）。コンテンツ再生装置２００は、再生コマンドを受信すると、ディスクを再生開始し、映像信号及び音声信号をコンテンツ記録再生装置１００に送信する。コンテンツ記録再生装置１００は、コンテンツ再生装置２００から受信した映像信号を表示部１８に表示し、受信した音声信号を音声処理部１９を介してスピーカーに供給する（Ｓ７）。
【００４５】
なお、コンテンツ再生装置２００がＤＶＤプレーヤである場合には、再生コマンドを受信したものの、ディスクが挿入されておらず、映像信号を再生できない場合がある。この場合には、コンテンツ再生装置２００は、コンテンツ記録再生装置１００の制御部２０に対して、ディスクが挿入されていない旨の通知を送信する。制御部２０は、ディスクが挿入されていない旨の通知を受信したか否かを判断しており（Ｓ６）、ディスクが挿入されていない旨の通知を受信しなければ（Ｓ６：ＮＯ）、Ｓ７に進み、上記の通り、コンテンツ再生装置２００からの映像信号を表示部１８に表示させる。一方、ディスクが挿入されていない旨の通知を受信した場合（Ｓ６：ＹＥＳ）、コンテンツ再生装置２００から映像信号を受信できないので、制御部２０は、選択回路１７にメニューデータ記憶部１４のメニューデータを選択させ（Ｓ１０）、表示部１８に表示させる（Ｓ１１）（この場合には、Ｓ１２以降の処理には進まない）。なお、併せて、表示部１８にディスクがない旨を表示してもよい。
【００４６】
続いて、制御部２０は、リッピングが終了したか否かを判断し（Ｓ８）、リッピングが終了したと判断した場合（Ｓ８：ＹＥＳ）、コンテンツ再生装置２００の制御部５２に一時停止コマンドを送信する（Ｓ９）。リッピングが終了したことを、メニューデータを使ってユーザに告知するのであるが、その間にコンテンツ再生装置２００で再生される映像信号が先に進んでしまことを防止するためである。コンテンツ再生装置２００は、一時停止コマンドを受信すると、映像信号の再生を一時停止する。
【００４７】
続いて、制御部２０は、選択回路１７に、映像信号及び音声信号の選択を、コンテンツ再生装置２００の映像信号及び音声信号から、メニューデータ記憶部１４に記憶されたメニューデータに変更させ（Ｓ１０）、表示部１８に図４に示すようなリッピングが完了した旨のメッセージ（ripping complete）７２を含むメニューデータを表示させる（Ｓ１１）。
【００４８】
図２Ｂに移り、制御部２０は、図５に示すように、コンテンツ再生装置２００からの映像を引き続き表示部１８に表示させ視聴するか否かを確認するメッセージを含むメニューデータを、表示部１８に表示させる（Ｓ１２）。ユーザは継続してコンテンツ再生装置２００からの映像を視聴したいときはＹＥＳボタンをクリックし、コンテンツ再生装置２００からの映像を視聴したくないときはＮＯボタンをクリックする。制御部２０は、ユーザの入力部の操作によってコンテンツ再生装置２００からの映像表示が指示されたか否かを判断する（Ｓ１３）。
【００４９】
コンテンツ再生装置２００からの映像を表示する場合（Ｓ１３：ＹＥＳ）、制御部２０は、選択回路１７に対して、映像及び音声の選択を、メニューデータ記憶部１４のメニューデータから、コンテンツ再生装置２００からの映像信号に切り換えるよう制御する（Ｓ１４）。続いて、制御部２０は、コンテンツ再生装置２００の制御部５２に、再生コマンドを送信する（Ｓ１５）。コンテンツ再生装置２００は、再生コマンドを受信すると、一時停止状態を解除し、一時停止していたアドレスから再生を開始し、映像信号及び音声信号をコンテンツ記録再生装置１００に送信する。コンテンツ記録再生装置１００は、コンテンツ再生装置２００から受信した映像信号を表示部１８に表示し、受信した音声信号を音声処理部１９を介してスピーカーに供給する（Ｓ１６）。
【００５０】
続いて、制御部２０は、コンテンツ再生装置２００のディスク再生が終了したか否かを判断する（Ｓ１７）。この処理は、例えば、コンテンツ再生装置２００はディスクを再生し終える（具体的には、本編映像データ（及び特典映像データ）を再生し終えて、メニュー画面に戻る）と、コンテンツ記録再生装置１００に再生終了通知を送信する。従って、制御部２０は、再生終了通知を受信したか否かを判断する。
【００５１】
再生終了通知を受信すると（Ｓ１７：ＹＥＳ）、制御部２０は、選択回路１７に、映像信号及び音声信号の選択を、コンテンツ再生装置２００の映像信号及び音声信号から、メニューデータ記憶部１４のメニューデータに変更させ（Ｓ１８）、表示部１８にメニューデータを表示させる。その後、制御部２０は、コンテンツ再生装置２００にスタンバイ状態になる旨のコマンドを送信する（Ｓ１９）。コンテンツ再生装置２００は、スタンバイコマンドを受信すると、パワーオン状態からスタンバイ状態になる。
【００５２】
Ｓ１３において、コンテンツ再生装置２００からの映像を表示しない場合（Ｓ１３：ＮＯ）、処理は直ちにＳ１９に進み、コンテンツ再生装置２００をスタンバイ状態にする。この場合、表示部１８には引き続きメニューデータが表示される。
【００５３】
以上のように、本例では、ＣＤからＨＤＤに楽曲データがリッピングされる際に、コンテンツ再生装置２００からの映像信号を表示部１８に表示することができるので、ユーザはリッピング中に表示部１８に表示された映像信号を視聴することができる。また、リッピング終了時には、コンテンツ再生装置２００を一時停止させた上で、表示部１８にコンテンツ再生装置２００の映像信号を継続して視聴するかの問合せ画面を表示させ、継続して視聴を希望する場合には、表示をメニューデータからコンテンツ再生装置２００の映像に切り換え、コンテンツ再生装置２００の一時停止を解除させる。その結果、コンテンツ再生装置２００からの映像が先に進むことなく、継続して表示部１８に映像を表示させることができる。なお、コンテンツ再生装置が一時停止を解除するときに、少しだけ前のアドレスから再生開始するようにしてもよい。
【００５４】
次に、図６を参照して、本発明の別の好ましい実施形態を説明する。本例は、図２Ａと比較してＳ２０〜Ｓ２３の処理が追加されている点で異なり、その他の処理については図２Ａ及び図２Ｂの説明を援用する。
【００５５】
Ｓ７においてコンテンツ再生装置２００からの映像信号を表示部１８に表示させた後、制御部２０はリッピング中の楽曲データが変更されたか否かを判断する（Ｓ２０）。この処理は、ディスク再生部１１からリッピング中の楽曲変更（例えば、１曲目から２曲目に変更）が制御部２０に通知されるので、その通知を基に判断される。リッピング中の楽曲データが変更されたとき（Ｓ２０：ＹＥＳ）、制御部２０は、選択回路１７に、映像信号及び音声信号の選択を、コンテンツ再生装置２００の映像信号及び音声信号から、メニューデータ記憶部１４のメニューデータに変更させ（Ｓ２１）、図７に示すように、表示部１８にリッピング中の楽曲データの情報（楽曲名及びトラック番号など）を含むメニューデータを表示させる（Ｓ２２）。図７は、リッピング中の楽曲データがトラック００１から００２に変更されたときの様子を示す。その後（例えば、５秒後）、制御部２０は、選択回路１７に、映像信号及び音声信号の選択を、メニューデータ記憶部１４のメニューデータから、コンテンツ再生装置２００の映像信号及び音声信号に変更させ（Ｓ２３）、Ｓ２０に戻る。
【００５６】
以上の処理により、リッピング中にコンテンツ再生装置２００からの映像信号を表示部１８に表示させている場合であっても、リッピング中の楽曲が変更されたときに一時的に表示部１８への表示をメニューデータに切り換えて、リッピング中の楽曲情報をユーザに告知した後、再度、表示部１８への表示をコンテンツ再生装置２００からの映像信号に切り換えるにようにしている。その結果、ユーザは、現在どの楽曲がリッピングされているかを知ることができる。なお、リッピング中の楽曲データが変更され、リッピング中の楽曲情報を表示部１８に表示させている間、コンテンツ再生装置２００を一時停止させるようにしてもよい。
【００５７】
次に、図８を参照して、本発明のさらに別の実施形態を説明する。図８は本例のコンテンツ再生システム２を示す図である。本例のコンテンツ記録再生装置１０１は、図１と比較して、選択回路１７が選択回路／合成回路（以下、合成回路という）２１に変更されている点で異なり、その他は同一である。
【００５８】
合成回路２１は、図１で説明した選択回路の機能の他に、メニューデータ記憶部１４のメニューデータと、コンテンツ再生装置２００からの映像信号を合成（スーパーインポーズ）する機能を有している。具体的には、合成回路２０は、図９（ａ）に示すとおり、コンテンツ再生装置２００からの映像を主画像（主画像とは、１枚の画像の大半を占める画像をいう）とし、メニューデータを副画像（副画像とは、主画像の一部分に合成された主画像よりも小さい画像をいう）とする第１合成画像と、図９（ｂ）に示す通り、メニューデータを主画像とし、コンテンツ再生装置からの映像を副画像とする第２合成画像を生成する。合成回路２１は、市販されているＴＶ用ＩＣによって実現可能である。また、スーパーインポーズ自体は周知技術によって実現され得る。
【００５９】
本例の動作を図１０Ａ及び図１０Ｂを参照して説明する。本例では、Ｓ２４〜Ｓ２７の処理が追加されており、その他の処理は図２Ａ及び図２Ｂと同じである。
【００６０】
コンテンツ再生装置２００からの映像信号を表示部１８に表示する場合（Ｓ３：ＹＥＳ）、制御部２０は、合成回路２１に、コンテンツ再生装置２００から受信した映像信号とメニューデータ記憶部１４のメニューデータとを合成させる（Ｓ２４）。具体的には、図９（ａ）に示すとおり、コンテンツ再生装置２００からの映像信号が主画像、メニューデータが副画像である第１合成画像を生成し、表示部１８に表示させる。従って、リッピング中にユーザは主画像でコンテンツ再生装置２００からの映像を視聴できると共に、副画像で現在のリッピング状況（リッピング中の楽曲の情報）を知ることができる。
【００６１】
続いて、リッピングが終了すると（Ｓ８：ＹＥＳ）、制御部２０は、合成回路２１に、図９（ｂ）に示すとおり、メニューデータが主画像であり、コンテンツ再生装置２００からの映像信号が副画像である第２合成画像を生成させ、表示部１８に表示させる（Ｓ２５）。従って、リッピングが終了したとき、ユーザは主画像でリッピングが終了した旨のメッセージを見ることができると共に、副画像でコンテンツ再生装置２００からの映像を視聴できる。
【００６２】
次に、コンテンツ再生装置２００からの映像を継続して表示部１８に表示させる場合（Ｓ１３：ＹＥＳ）、制御部２０は、図９（ａ）に示すとおり、コンテンツ再生装置２００からの映像信号が主画像、メニューデータが副画像である第１合成画像を生成させ、表示部１８に表示させる（Ｓ２６）。従って、コンテンツ再生装置２００のディスク再生が終了するまで、ユーザは主画像でコンテンツ再生装置２００からの映像を視聴できると共に、副画像でメニューデータを見ることができる。
【００６３】
次に、コンテンツ再生装置２００がディスクの再生を終了した場合（Ｓ１７：ＹＥＳ）、制御部２０は、メニューデータ（例えば、図４参照）のみを含む画像を合成部２１に出力させ、表示部１８に表示させる（Ｓ２７）。従って、ディスク再生終了後は、ユーザはメニューデータのみを見ることができ、第１合成画像の主画像に何も表示されないことを防止できる。
【００６４】
一方、Ｓ１３でコンテンツ再生装置１００からの映像を表示しないと判断されると（Ｓ１３：ＮＯ）、処理は直ちにＳ２７に進み、制御部２０は、メニューデータ（例えば、図４参照）のみを含む画像を合成部２１に出力させ、表示部１８に表示させる。従って、メニューデータのみを表示部１８に表示させることができ、第１合成画像の主画像に何も表示されないことを防止できる。以降の処理は、同一であるので説明を省略する。
【００６５】
以上のように、本例によれば、コンテンツ再生装置２００からの映像を視聴するときは、当該映像を主画像として表示し、メニューデータを副画像として表示するので、メニューデータを副画像で確認しながらコンテンツ再生装置２００からの映像を視聴できる。逆に、メニューデータの内容をユーザに告知する必要があるときは、メニューデータが主画像に、コンテンツ再生装置２００からの映像が副画像に変更されるので、ユーザはメニューデータの内容を注視することができる。さらに、コンテンツ再生装置２００の再生を終了すると、メニューデータのみが表示部１８に表示するので、第１合成画像の主画像に何も表示されないことを防止できる。
【００６６】
以上、本発明の好ましい実施形態を説明したが、本発明はこれらの実施形態には限定されない。コンテンツ記憶部１３は、ＨＤＤの代わりにＭＤやＣＤＲ等でもよい。ディスク再生部１１は必須ではなく、外部に接続されたディスク再生装置１１からの楽曲データをリッピングしたり、販売サーバから楽曲データをダウンロードする時に本発明が採用されてもよい。また、コンテンツ記録再生装置のプログラム又はそのプログラムを記録した記録媒体という形で提供されてもよい。
【産業上の利用可能性】
【００６７】
本発明は、ＣＤドライブとＨＤＤドライブとを備えるコンテンツ記録再生装置に特に好適に採用され得る。
【図面の簡単な説明】
【００６８】
【図１】本発明の好ましい実施形態によるコンテンツ記録再生システム１を示す図である。
【図２Ａ】制御部２０の処理を示すフローチャートである。
【図２Ｂ】制御部２０の処理を示すフローチャートである。
【図３】メニューデータを説明する図である。
【図４】メニューデータを説明する図である。
【図５】メニューデータを説明する図である。
【図６】制御部２０の処理を示すフローチャートである。
【図７】メニューデータを説明する図である。
【図８】別の好ましい実施形態によるコンテンツ記録再生システム２を示す図である。
【図９】メニューデータを説明する図である。
【図１０Ａ】制御部２０の処理を示すフローチャートである。
【図１０Ｂ】制御部２０の処理を示すフローチャートである。
【符号の説明】
【００６９】
１００          コンテンツ記録再生装置
２００          コンテンツ再生装置
１３            コンテンツ記憶部
１４            メニューデータ記憶部（内部画像記憶部）
１６            入出力端子（受信手段）
１７            選択回路
１８            表示部
２０            制御部
２１            合成回路
【図１】
2008035249.tif 000003
【図２Ａ】
2008035249.tif 000004
【図２Ｂ】
2008035249.tif 000005
【図３】
2008035249.tif 000006
【図４】
2008035249.tif 000007
【図５】
2008035249.tif 000008
【図６】
2008035249.tif 000009
【図７】
2008035249.tif 000010
【図８】
2008035249.tif 000011
【図９】
2008035249.tif 000012
【図１０Ａ】
2008035249.tif 000013
【図１０Ｂ】
2008035249.tif 000014